(57)【要約】【課題】高度な熟練度を要せずに、理想に近いステアを容易に実現できるようにしたバースプーンを提供する。【解決手段】比較的長尺のロッド部２の一端に凹状のスプーン部３を形成してなるステア用のバースプーン１において、前記ロッド部２の他端にフォーク部５のようなオプションパーツを交換可能に螺着できるようにすると共に、当該ロッド部２の外周に筒状のステアリング補助具４を上下動可能なように遊嵌させた。【選択図】図２
0003169363.tif 000002
【実用新案登録請求の範囲】
【請求項１】
比較的長尺のロッド部の一端に凹状のスプーン部を形成してなるステア用バースプーンにおいて、前記ロッド部に筒状のステアリング補助具を上下動可能なように遊嵌させたことを特徴とするバースプーン。
【請求項２】
比較的長尺のロッド部の一端に凹状のスプーン部を形成してなるステア用バースプーンにおいて、前記ロッド部の他端にフォーク部のようなオプションパーツを交換可能に螺着できるようにすると共に、当該ロッド部の外周に筒状のステアリング補助具を上下動可能なように遊嵌させたことを特徴とするバースプーン。
【請求項３】
筒状のステアリング補助具が金属製または合成樹脂製であることを特徴とする請求項１又は２に記載のバースプーン。
【請求項４】
筒状のステアリング補助具の表面に滑り止め用の切込みを形成してあることを特徴とする請求項１乃至３のいずれかに記載のバースプーン。
【考案の詳細な説明】
【技術分野】
【０００１】
本考案は主にカクテルなどを作る際にステア（掻き混ぜ）用として使用するバースプーンに関するものである。
【背景技術】
【０００２】
カクテルの技法としては、シェーカーに氷と共に各種酒系材料を入れ、これを振ることによってつくるシェイク法と、氷を入れたミキシンググラス内に、混ざりやすい幾つかの酒系材料を注ぎ、手際良くステアすることによって作るステア法とがある。
【０００３】
後者の場合、比較的長尺なロッド（柄）部の一端に凹状のスプーン部を形成したバースプーンを用いてステアが行われる。その際、手荒にステアすると、氷同士がぶつかりあい、想定以上に溶けてカクテルが水っぽくなるため、バースプーンを回しているときは、スプーン部の背側、すなわち凸部側を常にミキシンググラスの内壁に接するようにすることが肝要であるとされている。
【０００４】
その操作は、長尺なロッド部を、中指が向こう側、薬指が手前側となるようにして２本の指で挟み、親指と人差し指は、上部に軽く添えるようにして保持し、親指と人差し指の力を抜いて、中指の掌側と薬指の甲側を利用して時計方向に回転させる方法がベターであるとされている。
【０００５】
また、バースプーンを用いたステア中は音が生ぜず、バースプーンが自然に回っている感じで、ステア後、バースプーンを引き抜いてもミキシンググラス内で音もなく材料と氷が回り続けているのが理想とされている。
【考案の概要】
【考案が解決しようとする課題】
【０００６】
上記したように、ミキシンググラスあるいは普通のグラスの中で回転上下動させながら攪拌混合を行なうステアは、ロッド部の長いバースプーンを指間に挟み、指や掌の微妙な力の伝達で操るもので、スプーン部の背側が常にグラス類の内壁面に接するようにしながら回転させなければ所期する目的と効果に達し難い。
【０００７】
また、バースプーンは指で捏ね繰り回してはならず、回転させる方向に僅かに指で弾き返すようにしなければならないもので、その操作には可成りの熟練を要する。
従って、バースプーンによるステアリングは誰もが手軽に楽しめるものではなかった。
【０００８】
そこで、本考案は上記した従来技術の問題点を解決し、高度な熟練度を要せずに、理想に近いステアを容易に体現できるようにしたバースプーンを提供することを目的とするものである。
【課題を解決するための手段】
【０００９】
上記課題を解決するための本考案の構成を詳述すれば、請求項１に係る考案は、比較的長尺のロッド部の一端に凹状のスプーン部を形成してなるステア用バースプーンにおいて、前記ロッド部に筒状のステアリング補助具を上下動可能なように遊嵌させたことを特徴とするバースプーンである。
【００１０】
請求項２に係る考案は、比較的長尺のロッド部の一端に凹状のスプーン部を形成してなるステア用バースプーンにおいて、前記ロッド部の他端にフォーク部のようなオプションパーツを交換可能に螺着できるようにすると共に、当該ロッド部の外周に筒状のステアリング補助具を上下動可能なように遊嵌させたことを特徴とするバースプーンである。
【００１１】
また、請求項３に係る考案は、筒状のステアリング補助具が金属製または合成樹脂製であることを特徴とする請求項１又は２に記載のバースプーンである。
【００１２】
さらに、請求項４に係る考案は、筒状のステアリング補助具の表面に滑り止め用の切込みを形成してあることを特徴とする請求項１乃至３のいずれかに記載のバースプーンである。
【考案の効果】
【００１３】
上記したように、本考案は、長尺状のロッド部外周に金属製又は合成樹脂製の筒状ステアリング補助具を遊嵌させたので、ステアリング補助具の中空部内をバースプーンのロッド部が指との摩擦抵抗や指の弾き返しによらずに、本体が単独で滑らかに回転するため誰にでも簡便にステアの混合攪拌操作を楽しむことが可能となる。
【００１４】
また、ロッド部の他端に雄ネジ又は雌ネジを形成し、当該ネジ部を利用してフォーク部や、マッシャーのようなオプションパーツを交換可能に螺着できるようにした場合は、ロッド部から筒状ステアリング補助具を容易に取り外すことができ、通常のバースプーンとして使用することも可能となる。
【００１５】
なお、筒状のステアリング補助具の表面にローレットのような滑り止め用の切込みを形成した場合には、操作する者の手指に馴染みやすくなり一層良好なステアリング効果を得ることができる。
【図面の簡単な説明】
【００１６】
【図１】本考案に係るバースプーンの一実施形態を示す斜視図である。
【図２】本考案に係るバースプーンの他の実施形態を示す分解斜視図である。
【図３】ロッド部の概略拡大断面図である。
【考案を実施するための形態】
【００１７】
以下、本考案の具体的構成を図示の実施形態について詳細に説明する。
図中１は比較的長尺のロッド部２を有するバースプーン本体を示す。３は前記ロッド部２の一端に形成した凹状のスプーン部であり、このスプーン部３はステア効果を奏する他、カクテル材料をティー・スプーン単位で計る場合等に用いられる。
【００１８】
なお、図示の実施形態では、ロッド部２が螺旋状に形成されたものとなっているが、ロッド部２は必ずしも螺旋状になっている必要はなく通常の棒状体であっても本考案を適用できるのは勿論である。
【００１９】
次に、図中４はバースプーン本体１の前記ロッド部２に遊嵌させた筒状のステアリング補助具であり、その内径はロッド部２が支障なく上下動できる程度の大きさに形成してある。また、ステアリング補助具４の長手方向長さはロッド部２を把持する手指全体が楽に収まる程度以上であれば自由に調整することが可能である。
【００２０】
この筒状ステアリング補助具４は、銀や金等の貴金属を用いて製することもできるが、一般的にはステンレスが好適に用いられる。また、ポリスチレン、ポリエチレン、ポリプロピレン、ポリエチレンテレフタレート等の汎用合成樹脂を押出成形によって製することもできる。
【００２１】
その他、図中の５はロッド部２の他端に設けてあるフォーク部であり、図１に示す実施形態においては、当該フォーク部５はロッド部２と一体に形成されていて分離できないようになっているが、これを図２に示す実施形態のようにねじ込み式にして、他のオプションパーツ、すなわちミント等の葉を摺りつぶすときに用いるマッシャー等と交換可能にすることも充分可能である。
【００２２】
すなわち、図２に示すように、スプーン部３の反対側のロッド部２の先端に雄ネジ６を形成すると共に、この雄ネジ６に螺合する雌ネジ７を、任意のオプションパーツ５の基部に形成して、オプションパーツ５の交換を可能にすることができる。
【００２３】
当該実施形態の場合、フォーク部のようなオプションパーツ５をロッド部２の上端から外すことによって、筒状ステアリング補助具４をバースプーン本体１から分離させることができ、通常のバースプーンとしても使用することが可能となる。
【００２４】
なお、筒状のステアリング補助具４の外表面にローレットのような滑り止め用の切込み８を形成した場合は、ステアリング補助具４が材質上表面滑性を有していたとしても、手指に馴染んでステアを確実に行なうことが可能となる。
【００２５】
本考案は、以上のように、長尺状のロッド部２の外周に金属製又は合成樹脂製の筒状ステアリング補助具４を遊嵌させたものであり、ステアリング補助具４の中空部内をバースプーン本体１のロッド部２が指との摩擦抵抗や指の弾き返しによらずに、単独で滑らかに回転するため、スプーン部３の背側が常にグラス類の内壁面に接するようにして回転させることができるものである。
【００２６】
以上のように、本考案によれば、高度な熟練度を要せずに、理想に近いステアを容易に楽しむことができる。
【符号の説明】
【００２７】
１：バースプーン
２：ロッド部
３：スプーン部
４：筒状ステアリング補助具
５：フォーク部（オプションパーツ）
６：雄ネジ
７：雌ネジ
８：切込み
【図１】
0003169363.tif 000003
【図２】
0003169363.tif 000004
【図３】
0003169363.tif 000005